(57)【要約】  【課題】  メッセージを構成する各文字を移動させつつ表示する場合には、表示そのものが見難い、メッセージを構成する全ての文字が表示され終わるまでその内容が不明である、表示が一旦終了しなければメッセージを最初から読み直すことが出来ない、等の問題があった。  【解決手段】  メッセージ表示領域１４１の幅を１文字分単位で拡大して表示するように、またメッセージ表示領域１４１の幅が２文字分以上に拡大して表示されている場合に、メッセージ表示領域１４１の幅を１文字分単位で縮小して表示するように構成した。更に、表示画面１４０上のメッセージ表示領域１４１以外のパターン表示領域１４２を、メッセージ表示領域１４１の幅が拡大された場合に縮小し、メッセージ表示領域１４１の幅が縮小された場合に拡大するように構成した。【選択図】      図１
2005309690.tif 000002
【特許請求の範囲】
【請求項１】
表示画面上に設定された１文字分の幅で複数文字分の長さのメッセージ表示領域に、複数の文字からなる表示すべきメッセージの各文字を移動させつつ表示することにより、前記表示すべきメッセージの全てを表示するようにした表示装置において、
前記メッセージ表示領域の幅を１文字分単位で拡大及び縮小するように構成したことを特徴とする表示装置。
【請求項２】
表示画面と、該表示画面の所定位置に１文字分の幅で複数文字分の長さのメッセージ表示領域を表示する領域表示手段と、該領域表示手段により前記表示画面上に表示されたメッセージ表示領域に複数の文字からなる表示すべきメッセージの各文字を移動させつつ表示するメッセージ表示手段とを備えた表示装置において、
前記所定位置を基準として前記メッセージ表示領域の幅を１文字分単位で拡大して表示するように、また前記領域表示手段により前記メッセージ表示領域の幅が２文字分以上に拡大して表示されている場合に、前記メッセージ表示領域の幅を１文字分単位で縮小して表示するように、それぞれ前記領域表示手段を制御する制御手段を備えたことを特徴とする表示装置。
【請求項３】
前記メッセージ表示手段は、表示すべきメッセージが前記メッセージ表示領域内に表示可能な文字数以下である場合には表示すべきメッセージの各文字を移動させずに前記メッセージ表示領域内に表示するように構成したことを特徴とする請求項１又は２に記載の表示装置。
【請求項４】
前記表示画面上の前記メッセージ表示領域以外の部分の表示状態を、前記メッセージ表示領域の幅が拡大された場合に縮小し、前記メッセージ表示領域の幅が縮小された場合に拡大する手段を更に備えたことを特徴とする請求項１乃至３のいずれかに記載の表示装置。
【発明の詳細な説明】
【技術分野】
【０００１】
本発明は表示装置に関し、特に表示すべきメッセージの各文字を移動させつつ表示するように構成された表示装置に関する。
【背景技術】
【０００２】
液晶表示装置の普及に伴なって種々の機器に、旧来のオン／オフ的な表示しか行なえない表示装置に代わって、任意の文字表示が可能な表示装置が付設されるようになっている。このような表示装置では、予め用意された種々のメッセージをその時々に応じて適宜に表示することにより、ユーザに対してガイダンス、警告等の種々のメッセージを表示することが可能である。
【０００３】
しかし、表示装置の大きさ、より具体的には表示画面の大きさそのものが固定されている以上は、ある程度以上の長さの文字列の全てを同時に表示することはできない。特に、幅が１文字分の細長い領域に文字表示を行なう構成の表示装置においては、ある程度以上の長さの文字列からなるメッセージを表示する場合には各文字を移動させつつ表示することによりメッセージの全体を表示することを反復するようにしている。
【特許文献１】特開２００１−２１７９１６号公報
【特許文献２】特開２０００−１０５７４３号公報
【発明の開示】
【発明が解決しようとする課題】
【０００４】
上述のように、メッセージを構成する各文字を移動させつつ表示する場合には、表示そのものが見難い、メッセージを構成する全ての文字が表示され終わるまでその内容が不明である、表示が一旦終了しなければメッセージを最初から読み直すことが出来ない、等の問題があった。
【０００５】
このような事情からたとえば特許文献１には、メッセージのデータ量（具体的には文字数）に応じてメッセージの表示領域の行数を可変させる発明が開示されている。しかしこの従来技術では、ユーザの意思とは無関係にメッセージの文字数に応じて自動的に表示領域が拡大又は縮小されることになり、また表示装置の表示画面上に他の表示も併せて行なわれている場合には他の表示が画面外へ追いやられる虞がある。従って、特許文献１に開示されている技術による場合は、表示装置の表示画面上の表示状態そのものに対するメッセージ、たとえばガイダンス等を表示する方法としては不向きである。
【０００６】
また特許文献２には、メッセージの表示に際して画面のスクロール速度又は行表示速度をユーザが設定可能な技術が開示されている。しかしこの従来技術では、上述したような表示そのものが見難い、メッセージを構成する全ての文字が表示され終わるまでその内容が不明である、表示が一旦終了しなければメッセージを最初から読み直すことが出来ない、等の問題が若干は緩和されると思われるが、根本的な解決策とはなり得ない。
【０００７】
本発明は上述のような事情に鑑みてなされたものであり、表示すべきメッセージを構成する各文字を移動させつつ表示することによりその全体を表示するようにした表示装置の表示状態を改善することを目的とする。
【課題を解決するための手段】
【０００８】
本発明に係る表示装置は、表示画面上に設定された１文字分の幅で複数文字分の長さのメッセージ表示領域に、複数の文字からなる表示すべきメッセージの各文字を移動させつつ表示することにより、前記表示すべきメッセージの全てを表示するようにした表示装置において、前記メッセージ表示領域の幅を１文字分単位で拡大及び縮小するように構成したことを特徴とする。
【０００９】
このような本発明に係る表示装置では、メッセージ表示領域の幅が１文字分単位で拡大され、また縮小される。
【００１０】
また本発明に係る表示装置は、表示画面と、該表示画面の所定位置に１文字分の幅で複数文字分の長さのメッセージ表示領域を表示する領域表示手段と、該領域表示手段により前記表示画面上に表示されたメッセージ表示領域に複数の文字からなる表示すべきメッセージの各文字を移動させつつ表示するメッセージ表示手段とを備えた表示装置において、前記所定位置を基準として前記メッセージ表示領域の幅を１文字分単位で拡大して表示するように、また前記領域表示手段により前記メッセージ表示領域の幅が２文字分以上に拡大して表示されている場合に、前記メッセージ表示領域の幅を１文字分単位で縮小して表示するように、それぞれ前記領域表示手段を制御する制御手段を備えたことを特徴とする。
【００１１】
このような本発明に係る表示装置では、所定位置を基準としてメッセージ表示領域の幅が１文字分単位で拡大され、また逆にメッセージ表示領域の幅が２文字分以上に拡大して表示されている場合にはメッセージ表示領域の幅が１文字分単位で縮小される。
【００１２】
更に本発明に係る表示装置は上述の表示装置において、前記メッセージ表示手段は、表示すべきメッセージが前記メッセージ表示領域内に表示可能な文字数以下である場合には表示すべきメッセージの各文字を移動させずに前記メッセージ表示領域内に表示するように構成したことを特徴とする。
【００１３】
このような本発明に係る表示装置では上述の表示装置において、表示されるべきメッセージがメッセージ表示領域内に表示可能な文字数以下である場合にはメッセージの各文字が移動しない静止状態で表示される。
【００１４】
また更に本発明に係る表示装置は上述の表示装置において、前記表示画面上の前記メッセージ表示領域以外の部分の表示状態を、前記メッセージ表示領域の幅が拡大された場合に縮小し、前記メッセージ表示領域の幅が縮小された場合に拡大する手段を更に備えたことを特徴とする。
【００１５】
このような本発明に係る表示装置では上述の表示装置において、表示画面上のメッセージ表示領域以外の部分の表示状態が、メッセージ表示領域の幅の拡大、縮小に対応して自動的に縮小、拡大する。
【発明の効果】
【００１６】
以上のような本発明に係る表示装置によれば、メッセージ表示領域の幅が１文字分単位で拡大され、また縮小されるので、表示されるメッセージの文字数が多い場合にはメッセージ表示領域の幅を１文字分単位で拡大することにより、メッセージが読み易くなる。
【００１７】
また本発明に係る表示装置によれば、所定位置を基準としてメッセージ表示領域の幅が１文字分単位で拡大され、また逆にメッセージ表示領域の幅が２文字分以上に拡大して表示されている場合にはメッセージ表示領域の幅が１文字分単位で縮小されるので、表示されるメッセージの文字数が多い場合にはメッセージ表示領域の幅を拡大することによりメッセージを読み易くすることができ、またメッセージの文字数が少ない場合にはメッセージ表示領域の幅を縮小することにより表示画面のメッセージ表示領域以外の部分を有効に利用することができる。
【００１８】
また本発明に係る表示装置によれば上述の表示装置において、表示されるべきメッセージがメッセージ表示領域内に表示可能な文字数以下である場合にはメッセージの各文字が移動しない静止状態で表示されるので、表示されるメッセージの文字数が多い場合にはメッセージ表示領域の幅を拡大することによりメッセージを静止状態で表示させて読み易くすることができる。
【００１９】
更に本発明に係る表示装置によれば上述の表示装置において、表示画面上のメッセージ表示領域以外の部分の表示状態が、メッセージ表示領域の幅の拡大、縮小に対応して自動的に縮小、拡大するので、表示画面のメッセージ表示領域以外の部分を有効に利用することができる。
【発明を実施するための最良の形態】
【００２０】
以下、本発明に係る表示装置についてその実施の形態を示す図面を参照して説明する。図１は本発明に係る表示装置による表示状態を例示するための模式図である。
【００２１】
図１は、本発明の表示装置がファクシミリ装置のタッチパネル式の操作パネルの表示部として利用される場合の表示例を示している。図１（ａ）に示すように、本発明に係る表示装置の表示部の表示画面１４０は大きくは、画面の上部に位置するメッセージ表示領域１４１と、このメッセージ表示部１４１の下側の部分であるパターン表示領域とに大別される。但し、このメッセージ表示領域１４１とパターン表示領域１４２とはいずれも表示画面１４０上で固定されているのではなく、後述するように、一方が拡大すれば他方が縮小し、一方が縮小すれば他方が拡大するように表示状態が制御される。
【００２２】
図１に示されている例は具体的にはファクシミリ装置において送信原稿に付加されるヘッダーを登録するための画面であり、メッセージ表示領域１４１にはユーザに対するガイダンスが、パターン表示領域１４２にはキーボードのパターンが表示されている。なお、メッセージ表示領域１４１は初期状態として１行（幅が１文字分で長さがほぼ表示画面１４０の左右幅）分の大きさで表示されている。なお、メッセージ表示領域１４１の右端部にはキー表示領域１５０が設定されている。
【００２３】
キー表示領域１５０は、メッセージ表示領域１４１を１行単位（１文字分の幅単位）で表示画面１４０の下方へ向けて拡大させるための下向きの三角形で表示された拡大（下）キーと、メッセージ表示領域１４１が拡大キーの操作により２行以上に拡大されている場合にのみ表示され、メッセージ表示領域１４１を１行単位（１文字分の幅単位）で表示画面１４０の上方へ向けて縮小させるための上向きの三角形で表示された縮小（上）キーとを表示するための領域である。
【００２４】
図１（ａ）と図１（ｂ）とを比較すれば理解されるように、メッセージ表示領域１４１が２行（２文字分の幅）に拡大されている図１（ｂ）に示す表示状態では、メッセージ表示領域１４１の１行分だけパターン表示領域１４２の上下方向（縦方向）が縮小されて表示されている。これにより、メッセージ表示領域１４１が拡大表示されてパターン表示領域１４２が縮小された場合にも、パターン表示領域１４２に表示されているパターン（この例では文字入力のためのキーボードのパターン）は実用的な大きさに表示される。
【００２５】
次に、図１に示されている表示状態の遷移について説明する。図１に示されている状態は、ファクシミリ装置のユーザがヘッダーを登録するための操作を行なった結果として表示される初期画面であり、「ヘッダー登録：任意のヘッダーを作成して登録できます。」とのメッセージがガイダンスとして表示される。但し、このメッセージは１行分のメッセージ表示領域１４１には表示不可能な文字数であるので、通常は図１（ａ）に示すような１行のメッセージ表示領域１４１に各文字が移動しつつ表示される。
【００２６】
ユーザはこのようなメッセージ表示領域１４１に表示されるガイダンスとしてのメッセージを参照しつつパターン表示領域１４２に表示されているキーボードを操作することにより任意のヘッダーを作成して登録することができる。
【００２７】
しかし、ユーザがメッセージ表示領域１４１に文字が移動しつつ表示されるメッセージを読み難い場合等にはキー表示領域１５０に表示されている拡大キー（下向きの三角形）を操作すると図１（ｂ）に示されているように、メッセージ表示領域１４１が１行から２行に拡大する。そして、メッセージが２行のメッセージ表示領域１４１に表示可能な文字数であれば、そのメッセージは静止した状態で表示される。
【００２８】
なお、メッセージ表示領域１４１が２行以上に拡大されている場合にはキー表示領域１５０には拡大キー（下向きの三角形）と縮小キー（上向きの三角形）との両方が表示されるので、縮小キー（上向きの三角形）をユーザが操作することにより、メッセージ表示領域１４１を１行に戻すことも可能である。
【００２９】
図２は上述のような表示状態を実現するための本発明に係る表示装置の構成例を示すブロック図である。なお図２に示す構成の本発明に係る表示装置は、実際には他の何らかの機器、たとえばファクシミリ装置、複写機、携帯電話機等に組み込まれる表示装置として利用される。
【００３０】
本発明に係る表示装置は、ＣＰＵ又はＭＰＵ等を利用した制御部１１と、この制御部１１による制御手順を定めたプログラムを記憶しているＲＯＭ１２と、制御部１１による処理実行中に種々のデータを記憶するためのＲＡＭ１３と、前述の表示画面１４０としての液晶パネル等を備えた表示部１４と、表示画面１４０上に重畳されたタッチパネル及びその他の種々のハードキー等を含む入力部１５と、種々の状況に対応して表示画面１４０に表示されるメッセージのデータを予め格納しているメッセージ格納部１６と、表示画面１４０に表示される種々の表示パターンのデータを予め格納している表示パターン格納部１７と、この表示パターン格納部１７に格納されているデータに基づいて表示画面１４０上に表示される表示パターンを変形する表示パターン変形部１８等とを備えている。
【００３１】
なお、前述した如く本発明に係る表示装置は他の何らかの機器に組み込まれるものであるので、制御部１１、ＲＯＭ１２、ＲＡＭ１３等はそのような機器のためのものを共用してもよいことはいうまでもない。
【００３２】
次に、上述のような構成の本発明の表示装置の動作、具体的には前述の図１に示したような表示動作について、制御部１１による処理手順を示す図３及び図４のフローチャートを参照して説明する。
【００３３】
たとえば、本発明の表示装置が組み込まれている機器の電源が投入される等した場合には制御部１１は表示部１４の表示画面１４０に併設されたタッチパネルとは異なる入力部１５のキー等の操作入力が行なわれたか否かを監視している（ステップＳ１１でＮＯ）。操作入力があった場合は（ステップＳ１１でＹＥＳ）、制御部１１はその操作入力が表示画面へのパターン表示を指示する入力であるか否かを判断し、パターン表示の指示入力ではない場合は（ステップＳ１２でＮＯ）、操作入力に対応した他の処理を実行する（ステップＳ３０）。
【００３４】
パターン表示の指示入力であった場合は（ステップＳ１２でＹＥＳ）、制御部１１は指示入力に対応した表示パターンのデータを表示パターン格納部１６から読み出して表示部１４の表示画面１４０に表示し、また同時に１行のメッセージ表示領域１４１を表示部１４の表示画面１４０に表示する（ステップＳ１３）。そして制御部１１は次の操作入力を待機する（ステップＳ１４）。但しこの場合には、表示部１４の表示画面１４０上に表示されているパターンによる入力、具体的には入力部１５に含まれるタッチパネルが表示画面１４０に表示されているパターン中のキー，ボタン等が操作されたとみなされる操作入力であった場合は（ステップＳ１５でＹＥＳ）、制御部１１は表示画面１４０に表示されているパターン中のキー，ボタン等が操作されたとみなして対応する処理を実行する（ステップＳ１６）。
【００３５】
この際、制御部１１はメッセージ表示が必要であるか否かを判断し（ステップＳ１７）、メッセージ表示が不要な場合は（ステップＳ１７でＮＯ）、ステップＳ１４へ処理を戻す。しかし、メッセージ表示が必要な場合は（ステップＳ１７でＹＥＳ）、制御部１１はそのメッセージの文字数がその時点で表示画面１４０上に表示されているメッセージ表示領域１４１に表示可能な文字数であるか否かを判断する（ステップＳ１８）。
【００３６】
たとえば図１に示す例では、メッセージ「ヘッダー登録：任意のヘッダーを作成して登録できます。」はその時点で表示画面１４０に表示されている１行のメッセージ表示領域１４１には表示不可能であるので（ステップＳ１８でＮＯ）、制御部１１はメッセージの各文字を移動させつつメッセージ表示領域１４１に表示する（ステップＳ２０）。このような表示状態は他のメッセージが表示されることになるまで同一のメッセージが反復して表示される。この状態が図１（ａ）に示す状態である。
【００３７】
但し、上述のようなメッセージ表示領域１４１が１行である場合であっても、表示されるメッセージが１行のメッセージ表示領域１４１に収まる場合には、制御部１１はメッセージをメッセージ表示領域１４１に固定表示、即ち静止した状態で表示する（ステップＳ１９）。
【００３８】
ところで、前述のように、メッセージが１行のメッセージ表示領域１４１ではその全体を同時に表示できない場合等にユーザがキー表示領域１５０の拡大キー（下向きの三角形）を操作すれば（ステップＳ２１でＹＥＳ）、制御部１１はメッセージ表示領域１４１を１行分、表示画面１４０の下方へ拡大して表示する（ステップＳ２２）。またこの際同時に、制御部１１はパターン表示領域１４２に表示されているパターン、たとえば図１（ａ）に示されているようなキーボードのパターンをメッセージ表示領域１４１の１行分だけ縦方向に縮小したパターンを表示パターン変形部１８に生成させて表示画面１４０上に表示させる（ステップＳ２３）。
【００３９】
この後、先のステップＳ１７へ処理が戻されるので、そのメッセージが２行のメッセージ表示領域１４１に表示可能な文字数であれば（ステップＳ１８でＹＥＳ）、制御部１１はそのメッセージを固定表示、即ち静止した状態で表示する（ステップＳ１９）。この状態が図１（ｂ）に示す状態である。但し、表示すべきメッセージが２行のメッセージ表示領域１４１でも表示不可能な文字数である場合には移動表示が行なわれるが、このようなメッセージは一般的にはそれほどには長いものではないし、またそれほどに長いメッセージを用意することもないので、通常は２行のメッセージ表示領域１４１に静止表示可能である。
【００４０】
一方、上述のようにしてメッセージ表示領域１４１が２行又はそれ以上に拡大されている場合に、ユーザが表示画面１４０上に表示されているキー表示領域１５０の縮小キー（上向きの三角形）を操作すると（ステップＳ２４でＹＥＳ）、制御部１１はメッセージ表示領域１４１を１行分だけ縮小する（ステップＳ２５）。またこの際同時に、制御部１１はパターン表示領域１４２に表示されているパターン、たとえば図１（ａ）に示されているようなキーボードのパターンをメッセージ表示領域１４１の１行分だけ縦方向に拡大したパターンを表示パターン変形部１８に生成させて表示画面１４０上に表示させる（ステップＳ２６）。但し、キー表示領域１５０の縮小キーが操作された結果としてメッセージ表示領域１４１が１行のみになった場合には、縮小キーは表示されず、また表示パターン変形部１８を使用せずに表示パターン格納部１７に格納されているデータからパターンを生成して表示画面１４０に表示してもよい。
【００４１】
前述のステップＳ１５において、表示パターンに対する操作入力ではないことが判明した場合は（ステップＳ１５でＮＯ）、制御部１１は操作入力が他の表示パターンを表示するための指示入力であるのか否かを判断する（ステップＳ３１）。この結果、他の表示パターンを表示するための指示入力であった場合は（ステップＳ３１でＹＥＳ）、制御部１１はステップＳ１３へ処理を戻す。一方、他の表示パターンを表示するための指示入力でなかった場合は（ステップＳ３１でＮＯ）、制御部１１は入力操作に対応した他の処理を実行する（ステップＳ３２）。
【００４２】
なお、上述のようにして他の表示パターンが表示される場合には当然のことながらその表示パターンに対応した種々のメッセージがメッセージ表示領域１４１に表示される場合が多いが、この場合にはメッセージ表示領域１４１は先のメッセージの表示の際の状態となっているので、一旦メッセージ表示領域１４１を２行に拡大した後は、縮小させるための操作を行なわなければ、メッセージ表示領域１４１は２行のままに維持される。
【００４３】
以上に詳述したように、本発明に係る表示装置によれば、メッセージ表示領域の幅が１文字分単位で拡大され、また縮小されるので、表示されるメッセージの文字数が多い場合にはメッセージ表示領域の幅を１文字分単位で拡大することにより、メッセージが読み易くなる。
【００４４】
また本発明に係る表示装置によれば、表示されるメッセージの文字数が多い場合にはメッセージ表示領域の幅を拡大することによりメッセージを読み易くすることができ、またメッセージの文字数が少ない場合にはメッセージ表示領域の幅を縮小することにより表示画面のメッセージ表示領域以外の部分を有効に利用することができる。
【００４５】
更に本発明に係る表示装置によれば、表示されるメッセージの文字数が多い場合にはメッセージ表示領域の幅を拡大することによりメッセージを静止状態で表示させて読み易くすることができる。
【００４６】
また更に本発明に係る表示装置によれば、表示画面のメッセージ表示領域以外の部分を有効に利用することができる。
【図面の簡単な説明】
【００４７】
【図１】本発明に係る表示装置による表示状態を例示するための模式図である。
【図２】本発明に係る表示装置の構成例を示すブロック図である。
【図３】本発明の表示装置の動作を説明するための制御部による処理手順を示すフローチャートである。
【図４】本発明の表示装置の動作を説明するための制御部による処理手順を示すフローチャートである。
【符号の説明】
【００４８】
１１  制御部
１４  表示部
１５  入力部
１８  表示パターン変形部
１６  メッセージ格納部
１７  表示パターン格納部
１４０  表示画面
１４１  メッセージ表示領域
１４２  パターン表示領域
１５０  キー表示領域
【図１】
2005309690.tif 000003
【図２】
2005309690.tif 000004
【図３】
2005309690.tif 000005
【図４】
2005309690.tif 000006